(57)【要約】【課題】  冷陰極管を光源とした照明器具において、点灯回路を複雑にすることなく常夜灯機能を実現する。【解決手段】  螺旋状に巻回した冷陰極管を光源としたランプユニット１０を基台１上に複数個配した照明器具にして、一部のランプユニット１０A Ａを他のランプユニットと独立して点灯および調光可能とする。【選択図】      図１
2013182699.tif 000002
【特許請求の範囲】
【請求項１】
螺旋状に巻回した冷陰極管を光源としたランプユニットを基台上に複数個配した照明器具にして、ランプユニットのうちの一部を他のランプユニットと独立して点灯および調光可能としたことを特徴とする照明器具。
【請求項２】
螺旋状に巻回した冷陰極管を光源としたランプユニットを基台上に複数個配した照明器具にして、ランプユニットのうちの一部を中央に配し、その同心円上に他のランプユニットを分散して配するとともに、中央に配したランプユニットを他のランプユニットと独立して点灯および調光可能とした請求項１記載の照明器具。
【請求項３】
すべてのランプユニットを一つの回路で調光するとともに、ランプユニットのうちの一部を他のランプユニットと独立して点灯可能とした請求項１または２記載の照明器具。
【請求項４】
他のランプユニットと独立して点灯および調光可能としたランプユニットは一つである、請求項１から３のいずれかに記載の照明器具。
【発明の詳細な説明】
【技術分野】
【０００１】
この発明は冷陰極管を光源とした照明器具に関し、より詳細には点灯回路を複雑にすることなく常夜灯を備えた照明器具に関する。
【背景技術】
【０００２】
蛍光管を光源とした照明器具においては、就寝時や非常用の用途のためにいわゆる「豆球」と呼ばれる常夜灯を蛍光管とは別に設けている（特許文献１）。
【先行技術文献】
【特許文献】
【０００３】
【特許文献１】特開平１−１８３００３号公報
【発明の概要】
【発明が解決しようとする課題】
【０００４】
しかしながら、常夜灯は白熱灯やＬＥＤを用いるので、蛍光管とは異なる点灯回路を用意しなくてはならず、製造コストが嵩む問題があった。
【０００５】
また、発光領域が狭いスポット状の照明なので、発光時の体裁が悪いという問題も無視できなかった。
【課題を解決するための手段】
【０００６】
この発明は、以上の問題点を解決した照明器具を提供することを目的として創作されたものであり、螺旋状に巻回した冷陰極管を光源としたランプユニットを基台上に複数個配した照明器具にして、ランプユニットのうちの一部を他のランプユニットと独立して点灯および調光可能としたことを特徴とする。
【０００７】
また、請求項２に記載の照明器具は、前記の照明器具において、ランプユニットのうちの一部を中央に配し、その同心円上に他のランプユニットを分散して配するとともに、中央に配したランプユニットを他のランプユニットと独立して点灯および調光可能としたことを特徴とする。
【０００８】
また、請求項３に記載の照明器具は、前記の照明器具において、すべてのランプユニットを一つの回路で調光するとともに、ランプユニットのうちの一部を他のランプユニットと独立して点灯可能としたことを特徴とする。
【０００９】
また、請求項４に記載の照明器具は、前記の照明器具において、他のランプユニットと独立して点灯および調光可能としたランプユニットは一つであることを特徴とする。
【発明の効果】
【００１０】
この発明の照明器具によれば、螺旋状に巻回した冷陰極管をランプユニットの光源とし、これを照明器具の基台上に複数個配しているので、個々のランプユニットは極めて小型となり、さらにランプユニットのうちの一部を他のランプユニットと独立して点灯および調光可能としているので、ランプユニットを一灯のみ点灯し、小さな光量に調光すれば常夜灯として利用することが可能となる。
【００１１】
前記の場合、白熱灯やＬＥＤを使用した場合のような独立した点灯回路が不要となるので、製造コストを軽減することができる。
【００１２】
また、ランプユニットは極めて小型であるが、螺旋状に巻回した冷陰極管からなるので比較的広い円形の発光領域を確保でき、点灯時に体裁のよい常夜灯が実現される。
【００１３】
前記の場合、請求項２記載の発明のように、独立して点灯および調光可能とするランプユニットを中央に配し、その同心円上に他のランプユニットを分散して配すれば、発光領域に方向性がないことと相まって、複数の照明器具を配した場合に各照明器具の中心が均等に発光することとなり、点灯時により体裁のよい常夜灯が実現される。
【図面の簡単な説明】
【００１４】
【図１】この発明の照明器具のカバーを外した状態の平面図。
【図２】同上、側面図。
【図３】この発明の照明器具のカバーを付けた状態の平面図。
【図４】同上、側面図。
【図５】この発明の照明器具の点灯回路のブロック図。
【図６】同上、点灯回路の異なる実施例のブロック図。
【発明を実施するための形態】
【００１５】
以下、この発明の具体的実施例を添付図面に基づいて説明する。この実施例では照明器具として天井直付け灯を想定している。図１はこの発明の照明器具Ｓのカバーを外した状態の平面図である。図中符号１は照明器具の基台であり、裏面が天井などの被取付箇所との取付面となり、表面に光源となるランプユニット１０が複数個配される。この基台には透光性のあるカバーＣが着脱自在に被蓋される。
【００１６】
前記のランプユニット１０は螺旋状に巻回した冷陰極管からなり、この実施例では螺旋を二重螺旋状とすることにより、面積あたりの冷陰極管の全長をより高めているが、螺旋は二重に限られないことは勿論である。
【００１７】
ここでは、照明器具内に全部で６個のランプユニット１０を収容することとし、その内の１個のランプユニット１０Ａを照明器具の基台１の中心に配し、残余の５個のランプユニットをその同心円上の円周上に等間隔に分散して配している。ここでは、中心に配した上記のランプユニット１０Ａを常夜灯としても使用する。
【００１８】
図５はこの実施例の照明器具の電気回路のブロック図である。このブロック図において図中符号２０は電源回路、２４は中心に配した常夜灯としても使用するためのランプユニット１０Ａを駆動するインバータ回路、２３は上記ランプユニット１０Ａを調光する調光回路、２５はその他のランプユニット１０を駆動するインバータ回路、２１はリモコン送信機２２からの受信信号により各ランプユニットを制御する制御回路である。前記調光回路２３は冷陰極管の特性上点灯が不安定になる限界値（約５０％）まで暗くできるものを採用している。
【００１９】
前記回路においては次の点灯パターンが実現できる。
パターン１        全灯点灯
パターン２        円周上の５灯のみ点灯
パターン３        中心の１灯のみ点灯、調光。
パターン４        全消灯  
【００２０】
図６は異なる実施例の電気回路のブロック図である。この実施例ではすべてのランプユニットを一様に調光できるようにしている。このブロック図において図中符号２０は電源回路、３４はすべてのランプユニット１０、１０Ａを駆動するインバータ回路、３３はすべてのランプユニット１０、１０Ａを調光する調光回路、３５は中心に配した常夜灯としても使用するためのランプユニット１０Ａ以外の他のランプユニット１０への通電をＯＮ／ＯＦＦするためのＯＮ／ＯＦＦ部、２１はリモコン送信機２２からの受信信号により各ランプユニットを制御する制御回路である。前記調光回路３３は冷陰極管の特性上点灯が不安定になる限界値（約５０％）まで暗くできるものを採用している。
【００２１】
前記回路においては次の点灯パターンが実現できる。
パターン１        全灯点灯、調光
パターン２        円周上の５灯のみ点灯、調光
パターン３        中心の１灯のみ点灯、調光（ＯＮ／ＯＦＦ部３５により円周上の５灯への通電遮断）
パターン４        全消灯  
【符号の説明】
【００２２】
Ｓ        照明器具
１        基台
１０      ランプユニット
１０Ａ    （常夜灯としても使用する）ランプユニット
【図１】
2013182699.tif 000003
【図２】
2013182699.tif 000004
【図３】
2013182699.tif 000005
【図４】
2013182699.tif 000006
【図５】
2013182699.tif 000007
【図６】
2013182699.tif 000008